(57)【要約】【課題】光ディスク体において、一般的な光ディスク装置で高速回転されても薄型光ディスクの面振れを安定して抑えること。【解決手段】光ディスク体２０は、可撓性を有する薄型光ディスク１と、回転時に光ディスク側に空気を導く空気穴２ａを設けた回転安定板２と、薄型光ディスク１と回転安定板２とを対向させた状態でその両者を保持する保持手段３とからなる。【選択図】図１
2008287819.tif 000002
【特許請求の範囲】
【請求項１】
可撓性を有する薄型光ディスクと、
回転時に光ディスク側に空気を導く空気穴を設けた回転安定板と、
前記薄型光ディスクと前記回転安定板とを対向させた状態で保持する保持手段と、からなる光ディスク体。
【請求項２】
請求項１において、前記保持手段は前記薄型光ディスクと前記回転安定板とを着脱可能に保持することを特徴とする光ディスク体。
【請求項３】
請求項２において、前記保持手段は、前記薄型光ディスクに固定されたマグネットまたは磁性体で形成された第１ディスク保持具と、前記回転安定板に固定された磁性体またはマグネットで形成された第２ディスク保持具とからなることを特徴とする光ディスク体。
【請求項４】
請求項２において、前記薄型光ディスクと前記回転安定板との間に所定の隙間を確保するスペーサを備えたことを特徴とする光ディスク体。
【請求項５】
請求項３において、第２ディスク保持具は前記薄型光ディスクと前記回転安定板との間に所定の隙間を確保するスペーサを兼ねていることを特徴とする光ディスク体。
【請求項６】
請求項２において、前記保持手段は、前記薄型光ディスクと前記回転安定板とを機構的に保持する手段で構成したことを特徴とする光ディスク体。
【請求項７】
請求項６において、前記保持手段は、前記回転安定板に設けられたヒンジと、このヒンジに回動可能に取り付けられ回動して前記薄型光ディスクを押えるディスク保持具とからなることを特徴とする光ディスク体。
【請求項８】
請求項２において、前記回転安定板の外周部に前記薄型光ディスクを保護する保護部を設けたことを特徴とする光ディスク体。
【請求項９】
請求項８において、前記保護部は前記回転安定板の外周端部の複数箇所に形成した保護爪であることを特徴とする光ディスク体。
【請求項１０】
請求項２において、薄型光ディスクは赤色ＤＶＤ光学系を用いる光ディスク装置に用いられるものであり、前記回転安定板は、前記薄型光ディスクの基盤層に対して光学的にほぼ同程度の性質を有する透明な材質で形成されていることを特徴とする光ディスク体。
【請求項１１】
請求項２において、前記回転安定板の空気穴は前記薄型光ディスクの記録領域の内側に複数設けたことを特徴とする光ディスク体。
【請求項１２】
請求項２において、前記薄型光ディスク及び前記回転安定板を組み合わせる機構を備えたことを特徴とする光ディスク体。
【発明の詳細な説明】
【技術分野】
【０００１】
本発明は、光ディスク体に係り、特に、可撓性を有する薄型光ディスクを備えた光ディスク体に好適なものである。
【背景技術】
【０００２】
情報化社会が進み、膨大な量の情報がやり取りされるに従って、大容量の情報を記録するための光ディスク装置が普及してきている。これに伴い、その光ディスクの高記録密度化を図ることが望まれており、薄くて剛性が低く可撓性のある薄型光ディスクが案出されている。
【０００３】
係る薄型光ディスクを備えた記録媒体（光ディスク体）として、特開平１０−３０８０５９号公報（特許文献１）の図４に示されたものがある。この記録媒体は、可撓性を有する光ディスクと、光ディスクと共に回転する安定化板と、光ディスク及び安定化板を収納したカートリッジとを備えて構成されている。
【０００４】
【特許文献１】特開平１０−３０８０５９号公報（図４）
【発明の開示】
【発明が解決しようとする課題】
【０００５】
しかし、特許文献１の記録媒体は、薄型光ディスクと回転安定板との隙間が中央部で閉鎖されているため、薄型光ディスク１と回転安定板２との間に負圧を安定して十分に発生させることができず、薄型光ディスクの面振れを安定して抑えることが難しい、という課題があった。特に、最近の光ディスク装置では、記録再生速度を向上させるために、記録媒体を１００００ｒｐｍ近い回転数で高速に回転させるようになってきており、薄型光ディスクの面振れを安定して抑えること重要となっている。
【０００６】
本発明の目的は、一般的な光ディスク装置で高速回転されても薄型光ディスクの面振れを安定して抑えることが可能な光ディスク体を提供することにある。
【課題を解決するための手段】
【０００７】
前述の目的を達成するために、本発明は、可撓性を有する薄型光ディスクと、回転時に光ディスク側に空気を導く空気穴を設けた回転安定板と、前記薄型光ディスクと前記回転安定板とを対向させた状態で保持する保持手段と、からなる光ディスク体にある。
【０００８】
係る本発明のより好ましい具体的な構成例は次の通りである。
（１）前記保持手段は前記薄型光ディスクと前記回転安定板とを着脱可能に保持すること。
（２）前記保持手段は、前記薄型光ディスクに固定されたマグネットまたは磁性体で形成された第１ディスク保持具と、前記回転安定板に固定された磁性体またはマグネットで形成された第２ディスク保持具とからなること。
（３）前記薄型光ディスクと前記回転安定板との間に所定の隙間を確保するスペーサを備えたこと。
（４）第２ディスク保持具は前記薄型光ディスクと前記回転安定板との間に所定の隙間を確保するスペーサを兼ねていること。
（５）前記保持手段は、前記薄型光ディスクと前記回転安定板とを機構的に保持する手段で構成したこと。
（６）前記保持手段は、前記回転安定板に設けられたヒンジと、このヒンジに回動可能に取り付けられ回動して前記薄型光ディスクを押えるディスク保持具とからなること。
（７）前記回転安定板の外周部に前記薄型光ディスクを保護する保護部を設けたこと。
（８）前記保護部は前記回転安定板の外周端部の複数箇所に形成した保護爪であること。
（９）薄型光ディスクは赤色ＤＶＤ光学系を用いる光ディスク装置に用いられるものであり、前記回転安定板は、前記薄型光ディスクの基盤層に対して光学的にほぼ同程度の性質を有する透明な材質で形成されていること。
（１０）前記回転安定板の空気穴は前記薄型光ディスクの記録領域の内側に複数設けたこと。
（１１）前記薄型光ディスク及び前記回転安定板を組み合わせる機構を備えたこと。
【発明の効果】
【０００９】
係る本発明の光ディスク体によれば、一般的な光ディスク装置で高速回転されても薄型光ディスクの面振れを安定して抑えることが可能である。
【発明を実施するための最良の形態】
【００１０】
以下、本発明の複数の実施形態について図を用いて説明する。各実施形態の図における同一符号は同一物または相当物を示す。
（第１実施形態）
本発明の第１実施形態の光ディスク体を図１から図３を用いて説明する。
【００１１】
まず、本実施形態の光ディスク体２０について図１を参照しながら説明する。図１は本発明の第１実施形態の光ディスク体２０の分解斜視図である。
【００１２】
光ディスク体２０は、可撓性を有する薄型光ディスク１と、空気穴２ａを設けた回転安定板２と、薄型光ディスク１と回転安定板２とを着脱可能に保持するための保持手段３とからなっている。
【００１３】
薄型光ディスク１は薄くて剛性が低く可撓性を有する透明な円板で構成されている。この薄型光ディスク１は、本実施形態ではＡ面（表面または反回転安定板側の面）及びＢ面（裏面または回転安定板側の面）の両面に記録領域が形成されているが、片面に記録領域を有するものであってもよい。薄型光ディスク１の中央部には、回転安定板２に保持するための円形穴１ａが形成されている。
【００１４】
回転安定板２は薄型光ディスク１の外径とほぼ同じ或いは若干大きな外径を有する円板で構成されている。この回転安定板２の中央部には、回転時に光ディスク側に空気を導くための複数の空気穴２ａが設けられている。薄型光ディスク１と回転安定板２とが共に回転する際に、薄型光ディスク１と回転安定板２との間に空気穴２ａを通して内周側から外周側に空気が流れる。この空気流により、薄型光ディスク１と回転安定板２との間に負圧が安定して発生し、薄型光ディスク１が回転安定板２側に安定して吸い寄せられ、薄型光ディスク１と回転安定板２とが接触しない状態で面振れのない安定した回転が行われる。換言すれば、回転安定板２に設けた空気穴２ａの効果によって、薄型光ディスク１及び回転安定板２の回転時に、薄型光ディスク１及び回転安定板２の間の空気層を一定に保つことができ、面振動を抑制することが可能であり、剛性のない薄型光ディスク１においても安定して記録再生が可能となる。
【００１５】
なお、この空気穴２ａは１つでもその効果を有するが、本実施形態のように複数の空気穴２ａを周方向に等間隔に設けることにより、その効果をより一層高めることができ、薄型光ディスク１のより一層の薄型化を図ることができる。
【００１６】
また、空気穴２ａは、薄型光ディスク１の記録領域より内側（内周側）に設けられており、光学系８の光を回転安定板２を通して薄型光ディスク１の記録領域に照射する際の支障にならないようになっている。
【００１７】
保持手段３は、第１ディスク保持具３Ａと第２ディスク保持具３Ｂとからなっており、薄型光ディスク１と回転安定板２とを対向させた状態でその両者を着脱可能に磁気的に保持するものである。第１ディスク保持具３Ａは、円形リング状のマグネットで構成され、薄型光ディスク１のＡ面の中央部に接着により固定されている。第２ディスク保持具３Ｂは、円形リング状の磁性体で構成され、回転安定板２の中央部に接着により固定されている。第２ディスク保持具３Ｂは、段差部３Ｂａとテーパー部３Ｂｂとからなっている。第２ディスク保持具３Ｂと第１ディスク保持具３Ａとの磁気吸着力によって薄型光ディスク１が回転安定板２に保持される。
【００１８】
段差部３Ｂａは回転安定板２と薄型光ディスク１とが密着しないようにするためのものであり、空気穴２ａの内側に位置して０．１〜０．５ｍｍ程度の高さで設けられている。テーパー状の外周面を有するテーパー部３Ｂｂは、スピンドルモータ７（図２、図３参照）の回転中心軸に回転安定板２及び薄型光ディスク１の回転中心軸を一致させるためのものであり、段差部３Ｂａの中心部に位置して形成されている。テーパー部３Ｂｂの中心部には中心穴３Ｂｃが形成されている。この中心穴３Ｂｃは回転安定板２の中心穴でもある。
【００１９】
なお、第２ディスク保持具３Ｂは、回転安定板２の中央部に一体に形成されてもよく、その場合には、第２ディスク保持具３Ｂの部分に磁性材料が混入される。また、第１ディスク保持具３Ａが磁性体で形成され、第２ディスク保持具３Ｂがマグネット形成されていてもよい。
【００２０】
次に、光学系８に赤色ＤＶＤを用いた光ディスク装置３０に図１の光ディスク体２０を使用した場合について説明する。図２は光学系８に赤色ＤＶＤを用いた光ディスク装置３０で図１の光ディスク体２０を使用して記録再生を行っている状態の断面図である。
【００２１】
図２の光ディスク装置３０は、光学系８に赤色ＤＶＤを用いた一般的な光ディスク装置であり、光ディスクを１００００ｒｐｍ近い高速な回転数で回転させるものである。この光ディスク装置３０は、フロントパネル４、ケース５、トレイ６、スピンドルモータ７、光学系８、薄型光ディスク１を固定するクランパ９などを備えて構成されている。
【００２２】
フロントパネル４はケース５の前面開口をカバーするように設けられている。トレイ６はフロントパネル４のトレイ出し入れ口を通してケース５内に出し入れされるように設けられている。光ディスク体２０は、一般的な光ディスクと同様にトレイ６に載置されてケース５内に出し入れ可能なように、高さ及び外径寸法が設定されている。
【００２３】
図２の光ディスク装置３０の場合には、薄型光ディスク１と一般的な光ディスクとの光路差を補正する必要がある。回転安定板２は、薄型光ディスク１と一般的な光ディスクとの光路差を補正するように透明に形成されている。従って、薄型光ディスク１と光学系８との間に回転安定板２がくるように光ディスク体２０をトレイ６に載置することにより記録再生が可能である。
【００２４】
トレイ６がケース内に移動され薄型光ディスク１がスピンドルモータ７の直上に配置された状態で、スピンドルモータ７が上方に移動され、スピンドルモータ７の回転軸に固定されたスピンドルが薄型光ディスク１の中心穴２ａが嵌入される。この状態で、クランパ９が下方に移動され、スピンドルとクランパ９との間に光ディスク体２０が固定される。これにより、スピンドルモータ７の回転に伴って薄型光ディスク１及び回転安定板２が回転される。この薄型光ディスク１及び回転安定板２の回転により、薄型光ディスク１と回転安定板２との間に空気穴２ａを通して内周側から外周側に空気が安定して十分に流れる。
【００２５】
光学系８は、薄型光ディスク１に対して情報の書き込みを行う記録再生手段としてのピックアップを備えている。なお、この光学系８による光は、上述したように薄型光ディスク１に対して回転安定板２を通して行われる。
【００２６】
次に、光学系８に青色ＤＶＤを用いた光ディスク装置３０に図１の光ディスク体２０を使用した場合について説明する。図３は光学系８に青色ＤＶＤを用いた光ディスク装置３０で図１の光ディスク体２０を使用して記録再生を行っている状態の断面図である。
【００２７】
この図３の光ディスク装置３０は、光学系８に青色ＤＶＤを用いた一般的な光ディスク装置であり、光ディスクを１００００ｒｐｍ近い高速な回転数で回転させるものである。この光ディスク装置３０の場合には、薄型光ディスク１の光路差を補正する必要がないため、光ディスク体２０の薄型光ディスク１が光学系８の側になるように光ディスク体２０をトレイ６に設置すれば、記録再生が可能である。なお、回転安定板２は、光学的な補正を行う必要がないため、透明な材質である必要はなく、さらには薄型光ディスク１の記録領域の範囲に回転安定板２の空気穴２ａが設置されていても問題はない。
【００２８】
本実施形態の光ディスク体２０によれば、一般的な光ディスク装置３０で高速回転されても薄型光ディスク１の面振れを安定して抑えることが可能である。
（第２〜第７実施形態）
次に、本発明の第２〜第７実施形態について図４〜図９を用いて説明する。図４〜図９は本発明の第２〜第７実施形態の光ディスク体を示す分解斜視図である。この第２〜第７実施形態は、以下に述べる点で対比する実施形態と相違し、その他の点については対比する実施形態と基本的には同一である。
（第２実施形態）
図４に示す第２実施形態では、第１実施形態との第２ディスク保持具３Ｂの代わりに、薄型光ディスク１と回転安定板２との間に円形リング状のスペーサ１０を配置したものである。スペーサ１０は、薄型光ディスク１の記録領域の最内周半径よりも小さな外径を有し、０．１〜０．５ｍｍ程度の厚さの磁性体で形成され、回転安定板２に接着固定されている。薄型光ディスク１を回転安定板２に重ね合わせることにより、第１ディスク保持具３Ａとスペーサ１０との間に磁気的吸着力が生じ、薄型光ディスク１を回転安定板２に保持することが可能である。
（第３実施形態）
図５に示す第３実施形態では、第１実施形態の第１ディスク保持具３Ａをなくし、第２ディスク保持具３Ｂの代わりに、２つの円形リング状のスペーサ１０ａ、１０ｂを配置したものである。スペーサ１０ａは、薄型光ディスク１の記録領域の最内周半径よりも小さな外径を有し、０．１〜０．５ｍｍ程度の厚さの磁性体で形成され、薄型光ディスク１のＢ面に接着固定されている。スペーサ１０ｂは、スペーサ１０ａの中央の穴のよりも若干小さな外径を有し、スペーサ１０ａと同じ厚さのマグネットで形成され、回転安定板２に接着固定されている。薄型光ディスク１を回転安定板２に重ね合わせることにより、スペーサ１０ｂがスペーサ１０ａの中央の穴に嵌り込み、スペーサ１０ａとスペーサ１０ｂとの間に磁気的吸着力が生じ、薄型光ディスク１を回転安定板２に保持することが可能である。この第３実施形態では、ディスク体２０の厚さ寸法を小さくすることができる。
（第４実施形態）
図６に示す第４実施形態では、第１実施形態の第１ディスク保持具３Ａが楕円形で２つに分割されて構成され、第２ディスク保持具３Ｂがヒンジ機構で構成されたものである。第２ディスク保持具３Ｂは回転安定板２に取り付けられ、２つに分割された第１ディスク保持具３Ａは第２ディスク保持具３Ｂに回動可能に取り付けられている。
【００２９】
薄型光ディスク１を回転安定板２に装着するには、２つに分割された第１ディスク保持具３Ａを立った状態として薄型光ディスク１の円形穴１ａに通した後、２つに分割された第１ディスク保持具３Ａを開いて第１ディスク保持具３Ａの両端部で薄型光ディスク１を押える。これによって、磁気的な吸着力を用いることなく、機械的な保持力を用いて回転安定板２と薄型光ディスク１とを保持することが可能である。
（第５実施形態）
図７に示す第５実施形態では、回転安定板２の外周端部の複数箇所に薄型光ディスク１を保護する爪２ｂを形成している。光ディスク体２０は、赤色ＤＶＤ光学系の光ディスク装置に用いる場合と、青色ＤＶＤ光学系の光ディスク装置に用いる場合とで、薄型ディスク１及び回転安定板２の位置関係を反対にする必要がある。また、一般的な光ディスク装置では、装置を縦置きにして使用することがある。このときに薄型光ディスク１が回転安定板２から剥離し、損傷するのを防ぐために、回転安定板２に複数の薄型光ディスク剥離防止用爪２ｂを設置している。
（第６実施形態）
図８に示す第６実施形態では、第５実施形態に比較して、回転安定板２の外周端部に薄型光ディスク１の外周をカバーするフランジ２ｃを形成し、このフランジ２ｃの複数箇所に薄型光ディスク１を保護する爪２ｂを形成している。フランジ２ｃを設けたことにより、薄型光ディスク１をより一層確実に保護することができる。
（第７実施形態）
図９に示す第７実施形態では、薄型光ディスク１と回転安定板２とを着脱するための機構を備えたものである。この着脱機構は、薄型光ディスク１の保護部材１１ａ、回転安定板の固定部材１１ｂ、薄型光ディスク固定ハンドル１１ｃ、薄型光ディスク１及び回転安定板２の固定軸１１ｄを備えて構成されている。薄型光ディスク１と回転安定板２との着脱方法は以下の通りである。
【００３０】
まず、第１ディスク保持具３Ａ及び薄型光ディスク１は、薄型ディスク固定ハンドル１１ｃに接続された保持具（図示せず）により、薄型光ディスク保護部材１１ａに機械的に固定されている。一方、回転安定板２は回転安定板固定部材１１ｂに固定されている。ここで、薄型光ディスク１及び第１ディスク保持具３Ａを固定した薄型ディスク保護部材１１ａと回転安定板２を固定した回転安定板固定部材１１ｂとを、薄型光ディスク１及び回転安定板２の固定軸１１ｄの位置で重ね合わせる。これらを重ね合わせた状態で、薄型光ディスク固定ハンドル１１ｃを回転させることによって、薄型光ディスク１及び第１ディスク保持具３Ａと薄型光ディスク保護部材１１ａとが切り離される。第１ディスク保持具３Ａは磁性材料または磁石でできており、回転安定板２には磁石または磁性材料からなる第２ディスク保持具３Ｂが固定されているので、開放された薄型光ディスク１及び第１ディスク保持具３Ａは回転安定板２及び第２ディスク保持具３Ｂに磁気的に保持されることになる。
【００３１】
また、薄型光ディスク１を回転安定板２から切り離す際には、回転安定板固定部材１１ｂの上に、光ディスク体２０を固定軸１１ｄの位置で固定する。さらに、薄型光ディスク保護部材１１ａを重ねて、薄型光ディスク固定ハンドル１１ｃを逆に回転させる。これによって、薄型光ディスク１及び第１ディスク保持具３Ａは、回転安定板２から離れ、薄型光ディスク保護部材１１ａに機械的に固定される。
【００３２】
これらを繰り返すことによって、薄型光ディスク１に直接手が触れることなく薄型光ディスク１の交換が可能となる。また、薄型光ディスク保護部材１１ａ及び回転安定板固定部材１１ｂは１辺を共有する蝶番状の構造になっていても薄型光ディスク１と回転安定板２の交換機能に問題はない。
【図面の簡単な説明】
【００３３】
【図１】本発明の第１実施形態の光ディスク体の分解斜視図である。
【図２】光学系に赤色ＤＶＤを用いた光ディスク装置で図１の光ディスク体を使用して記録再生を行っている状態の断面図である。
【図３】光学系に青色ＤＶＤを用いた光ディスク装置で図１の光ディスク体を使用して記録再生を行っている状態の断面図である。
【図４】本発明の第２実施形態の光ディスク体を示す分解斜視図である。
【図５】本発明の第３実施形態の光ディスク体を示す分解斜視図である。
【図６】本発明の第４実施形態の光ディスク体を示す分解斜視図である。
【図７】本発明の第５実施形態の光ディスク体を示す分解斜視図である。
【図８】本発明の第６実施形態の光ディスク体を示す分解斜視図である。
【図９】本発明の第７実施形態の光ディスク体を示す分解斜視図である。
【符号の説明】
【００３４】
１…薄型光ディスク、１ａ…円形穴、２…回転安定板、２ａ…空気穴、２ｂ…ディスク保護爪、３…保持手段、３Ａ…第１ディスク保持具、３Ｂ…第２ディスク保持具、３Ｂａ…段差部、３Ｂｂ…テーパー部、３Ｂｃ…中心穴、３…ディスク押え、４…フロントパネル、５…ケース、６…トレイ、７…スピンドルモータ、８…光ピックアップ、９…クランパ、１０、１０ａ、１０ｂ…スペーサ、１１ａ…薄型光ディスク保護部材、１１ｂ…回転安定板固定部材、１１ｃ…薄型光ディスク固定ハンドル、１１ｄ…固定軸、２０…光ディスク体、３０…光ディスク装置。
【図１】
2008287819.tif 000003
【図２】
2008287819.tif 000004
【図３】
2008287819.tif 000005
【図４】
2008287819.tif 000006
【図５】
2008287819.tif 000007
【図６】
2008287819.tif 000008
【図７】
2008287819.tif 000009
【図８】
2008287819.tif 000010
【図９】
2008287819.tif 000011